(57)【要約】【課題】  給気ファンの回転を最適化することにより空調対象室の空調に要する動力を削減する。【解決手段】  空調対象室の空調状態を検出する各種センサａ〜ｅと、空調対象室に空調用空気を供給するＳＡファン２と、該ＳＡファン２を駆動するＳＡファンインバータ８と、空調対象室への空調用空気の給気風量が空調対象室内を所定の規定空調状態に維持するために必要な最低給気風量となるように、上記各種センサａ〜ｅの検出値に基づいてＳＡファンインバータ８を制御するファン制御装置７とを具備する。【選択図】      図２
2005249243.tif 000002
【特許請求の範囲】
【請求項１】
空調対象室の空調状態を検出するセンサと、
前記空調対象室に空調用空気を供給する給気手段と、
該給気手段を駆動する駆動手段と、
前記空調対象室への空調用空気の給気風量が空調対象室内を所定の規定空調状態に維持するために必要な最低給気風量となるように、前記センサの検出値に基づいて駆動手段を制御する制御手段と
を具備することを特徴とする空調システム。
【請求項２】
前記制御手段は、前記センサの検出値と規定許容値とを比較し、検出値が規定許容値を越えた場合は前記給気手段の風量を増大させるように前記駆動手段を制御し、検出値が規定許容値を越えない場合には前記給気手段の風量を減少させるように前記駆動手段を制御することを特徴とする請求項１記載の空調システム。
【請求項３】
前記制御手段は、前記センサの検出値と規定許容値とを比較し、検出値が規定許容値を越えた場合は前記給気手段の風量を増大させるように前記駆動手段を制御し、検出値が規定許容値を越えない状態が所定の許容時間継続した場合には前記給気手段の風量を減少させるように前記駆動手段を制御することを特徴とする請求項１記載の空調システム。
【請求項４】
空調対象室から排気された空気を前記給気手段の入口に戻す還気手段をさらに備え、前記制御手段は、還気風量が前記給気手段の給気風量に比例するように前記還気手段を制御することを特徴とする請求項1〜３いずれかに記載の空調システム。
【請求項５】
前記センサは、温度センサ、湿度センサ、清浄度センサ、圧力センサ及び特定ガスの濃度を検出するガス濃度センサのうち何れか１つあるいは複数であることを特徴とする請求項１〜４いずれかに記載の空調システム。
【請求項６】
前記制御手段の制御状態を外部に送信する通信部をさらに備えることを特徴とする請求項１〜５いずれかに記載の空調システム。
【請求項７】
前記制御手段の制御状態の変更を指示する遠隔指示情報を外部から受信する通信部をさらに備えることを特徴とする請求項１〜５いずれかに記載の空調システム。
【請求項８】
前記通信部は、電話回線、インターネットあるいはイントラネットの何れかの通信方式に基づいて外部と通信を行うことを特徴とする請求項６または７記載の空調システム。
【請求項９】
前記制御手段が前記駆動手段を制御するために利用する制御情報をシステム構成図上に表示する表示手段をさらに備えることを特徴とする請求項１〜８いずれかに記載の空調システム。
【請求項１０】
前記表示手段は、前記駆動手段を固定制御した場合に対する消費動力の削減率をも表示することを特徴とする請求項９記載の空調システム。
【発明の詳細な説明】
【技術分野】
【０００１】
本発明は、空調システムに関する。
【背景技術】
【０００２】
空調の対象となる対象室（空調対象室）として、例えばクリーンルームがある。このクリーンルームは、周知のように空調制御によって室内環境が規定環境に維持された室である。このようなクリーンルームにおける従来の空調制御は、給気ファンの出口圧力に基づいて給気ファンの回転数を制御することによってクリーンルームの室内設計条件に基づいて規定された一定送風量の空調用空気（別途除塵・温度調整された空気）を定風量装置（ＣＡＶ）に供給している。より単純な構成として、定風量装置を設けることなく給気ファンによって所定風量の空調用空気をクリーンルームに供給するものもある。また、一般的な空調方式では、可変風量装置を用いることにより、室内温度に基づいて風量を変化させる場合もある。
なお、本出願人等による空調関連技術の先行技術文献として、例えば特開２００２−２１３８０２号公報がある。
【特許文献１】特開２００２−２１３８０２号公報
【発明の開示】
【発明が解決しようとする課題】
【０００３】
ところで、上記給気ファンの送風量は、クリーンルームの室内設計条件に基づいて規定された一定値であり、クリーンルームの室内温度を規定温度に維持するために必要な送風量よりも多め（安全側）に設定されている。この結果として、給気ファンが無駄な動力（電力）を消費するという問題点がある。
また、上記空調制御では、クリーンルームの排気の一部を給気ファンの入口に戻す還気ファンが設けられる場合があるが、この場合における還気ファンの回転制御は省電力を考量したものではない。
【０００４】
本発明は、上述した事情に鑑みてなされたものであり、以下の点を目的とするものである。
（１）空調対象室の空調に要する動力を削減する。
（２）給気ファンの回転を最適化することにより空調対象室の空調に要する動力を削減する。
（３）還気ファンの回転を最適化することにより空調対象室の空調に要する動力を削減する。
【課題を解決するための手段】
【０００５】
上記目的を達成するために、本発明では、空調対象室の空調状態を検出するセンサと、空調対象室に空調用空気を供給する給気手段と、該給気手段を駆動する駆動手段と、空調対象室への空調用空気の給気風量が空調対象室内を所定の規定空調状態に維持するために必要な最低給気風量となるように、上記センサの検出値に基づいて駆動手段を制御する制御手段とを具備する、という解決手段を採用する。
【発明の効果】
【０００６】
本発明によれば、給気手段がセンサの検出値に基づいて空調対象室への空調用空気の給気風量が空調対象室内を規定空調状態に維持するために必要な最低給気風量となるように駆動されるので、従来のように空調空調対象室の室内設計条件に基づいて給気手段を駆動する場合に比較して給気手段の動力を削減することができる。
【発明を実施するための最良の形態】
【０００７】
以下、図面を参照して、本発明の一実施形態について説明する。
図1は、本実施形態に係る空調システムの要部構成を示すシステム構成図である。この図において、符号１はＯＡファン、２はＳＡファン、３Ａ〜３ＣはＣＡＶ（定風量装置）、４はＲＡファン、５Ａ〜５ＣはＭＤ（モータダンパ）、６はＥＡファン、７はファン制御装置である。
【０００８】
ＯＡファン１は、モータ駆動されるファンであり、外気を本空調システム内に取り込む。このＯＡファン１は、駆動モータ（ＯＡファン駆動モータ）が専用のＰＩＤ制御器によって個別制御されることによって回転駆動される。上記ＰＩＤ制御器は、ＯＡファン１の出口圧力を所定の目標値と比較することによってＯＡファン駆動モータをフィードバック制御する。なお、ＯＡファン１の入口側にはＰＦ（プレフィルタ）等の除塵装置が設けられており、外気は当該ＰＦによって除塵されて本空調システム内に取り込まれる。
【０００９】
ＳＡファン２は、モータ駆動されるファンであり、上記ＯＡファン１によって取り込まれた空調用空気と上記ＲＡファン４によって換気される空調用空気とをＡ室〜Ｃ室（空調対象室）に供給する給気手段である。このＳＡファン２は駆動モータ（ＳＡファン駆動モータ）がファン制御装置７によって制御されることによって回転駆動されるが、当該ＳＡファン２の駆動は本空調システムの特徴点であり詳細については後述する。なお、図1では１基のＳＡファン２が示されているが、空調対象室の室数や容積あるいはＳＡファン２の送風能力に応じて複数基のＳＡファンが設けられることもある。
【００１０】
ＣＡＶ３Ａ〜３Ｃは、上記ＳＡファン２と各空調対象室との間に設けられており、開口度を可変することによって各空調対象室への供給風量を調整する。ＣＡＶ３ＡはＳＡファン２とＡ室との間に、ＣＡＶ３ＢはＳＡファン２とＢ室との間に、ＣＡＶ３ＣはＳＡファン２とＣ室との間にそれぞれ設けられている。また、これらＣＡＶ３Ａ〜３Ｃの各開口度は、ファン制御装置７がＳＡファン２やＲＡファンを制御するために使用する制御情報の１つとしてファン制御装置７に供給される。
【００１１】
Ａ室〜Ｃ室は、本空調システムにおおける空調対象室であり、例えば半導体装置の製造等に供されるクリーンルームである。これらＡ室〜Ｃ室内には、内部の空調状態を検出する各種センサが備えられている。この各種センサは、例えば室内温度を検出する温度センサ、室内湿度を検出する湿度センサ、室内の清浄度を検出する清浄度センサ、室内の圧力を検出する圧力センサ及び特定ガス（例えば酸素（Ｏ２）や二酸化炭素（ＣＯ２））の濃度を検出するガス濃度センサである。これら各種センサは、各々の検出値を上記制御情報の１つとしてファン制御装置７に出力する。
【００１２】
ＲＡファン４は、モータ駆動されるファンであり、上記各空調対象室から排気された空調用空気の一部をＳＡファン２の入口に戻す還気手段である。このＲＡファン４は駆動モータ（ＲＡファン駆動モータ）がファン制御装置７によって制御されることによって回転駆動されるが、当該ＲＡファン４の駆動も本空調システムの特徴点の１つであり詳細については後述する。
【００１３】
ＭＤ５Ａ〜５Ｃは、上記各空調対象室とＲＡファン４との間に設けられており、開口度を可変することによって各空調対象室からの排気風量を調整して室内圧力を調整する。ＭＤ５ＡはＡ室とＲＡファン４との間に、ＭＤ５ＢはＢ室とＲＡファン４との間に、ＭＤ５ＣはＣ室とＲＡファン４との間にそれぞれ設けられている。これらＭＤ５Ａ〜５Ｃの各開口度は上記制御情報の１つとしてファン制御装置７に供給される。
【００１４】
ＥＡファン６は、モータ駆動されるファンであり、上記各空調対象室から排気された空調用空気の一部を外部に放出する。このＥＡファン６も、上述したＯＡファン１と同様に、駆動モータ（ＥＡファン駆動モータ）が専用のＰＩＤ制御器によって個別制御されることによって回転駆動される。上記ＰＩＤ制御器は、ＥＡファン６の入口圧力を所定の目標値と比較することによってＥＡファン駆動モータをフィードバック制御する。
【００１５】
図２は、本空調システムの制御構成を示すブロック図である。
この図に示すように、ファン制御装置７は、上記各種センサ、ＣＡＶ３Ａ〜３Ｃ及びＭＤ５Ａ〜５Ｃから入力される各種制御情報に基づいてＳＡファンインバータ８及びＲＡファンインバータ９を制御する。ＳＡファンインバータ８はＳＡファン駆動モータを駆動する駆動手段であり、ＲＡファンインバータ９はＲＡファン駆動モータを駆動する駆動手段である。
【００１６】
ファン制御装置７は、Ａ室インタフェース７ａ、Ｂ室インタフェース７ｂ、Ｃ室インタフェース７ｃ、演算制御部７ｄ、記憶部７ｅ、表示操作部７ｆ及び通信部７ｇ等から構成されている。Ａ室インタフェース７ａは、Ａ室に関する制御情報を受信して演算制御部７ｄに出力する。Ｂ室インタフェース７ｂは、Ｂ室に関する制御情報を受信して演算制御部７ｄに出力する。Ｃ室インタフェース７ｃは、Ｃ室に関する制御情報を受信して演算制御部７ｄに出力する。記憶部７ｅは、演算制御部７ｄが実行する制御プログラム、演算制御部７ｄが制御プログラムに基づいてＳＡファンインバータ８及びＲＡファンインバータ９を制御する際に使用する各種制御パラメータ及び各種レンジパラメータ等を記憶し、これらの各記憶データを演算制御部７ｄに出力する。
【００１７】
表示操作部７ｆは、例えばタッチパネル式の表示装置であり、制御情報の１つである各種制御パラメータ及び各種レンジパラメータが操作入力されると共に、ファン制御装置７の制御状態を画面表示する。各種制御パラメータは、ＳＡファン２やＲＡファン４の風量許容や回転数許容範囲、各種センサの検出値に対する目標値等である。各種レンジパラメータは、各種センサの検出値に対する許容値（センサ許容値）である。このような各種制御パラメータは、表示操作部７ｆから演算制御部７ｄに入力されて記憶部７ｅに記憶される。
【００１８】
また、上記動作情報は、上述した各種制御情報、ＳＡファンインバータ８及びＲＡファンインバータ９を固定制御した場合の消費電力に対する削減率等々である。詳細は後述するが、表示操作部７ｆは、各種制御情報を演算制御部７ｄから取得することにより本空調システムのシステム構成図上に表示する。
【００１９】
通信部７ｇは、所定の通信回線に基づいて外部と通信を行う。この通信回線は、例えば電話回線、インターネットあるいはイントラネットの何れかである。通信部７ｇは、このような通信回線を用いることにより、例えばファン制御装置７（より厳密には演算制御部７ｄ）の制御状態を外部に送信したり、当該制御状態の変更を指示する遠隔指示情報を外部から受信する。
【００２０】
演算制御部７ｄは、上記記憶部７ｅに予め記憶された制御プログラム及び記憶部７ｅ及び各種インタフェース７ａ〜７ｃから取得した各種制御情報に基づいてＳＡファンインバータ８及びＲＡファンインバータ９を制御する。また、演算制御部７ｄは、制御状態を示す状態情報を通信部７ｇに出力して外部に送信させる一方、通信部７ｇから遠隔指示情報が入力されると、当該遠隔指示情報に基づいて制御状態を変更する。
【００２１】
次に、このように構成された本空調システムの要部動作（ファン制御装置７の動作）について説明する。
【００２２】
〔ファン制御動作〕
最初に、ファン制御装置７によるＳＡファンインバータ８及びＲＡファンインバータ９の制御動作について、図３〜図６を参照して説明する。
図３は、演算制御部７ｄが制御プログラムに基づいて実行するファン回転数増減判断処理を示すフローチャートである。このファン回転数増減判断処理は、例えば数秒程度のタイムインターバルで繰返し処理されるものである。
【００２３】
演算制御部７ｄは、このフローチャートに示すように、各空調対象室における各種センサの検出値がセンサ許容値と各々満足するか否かを判定し（ステップＳ1〜Ｓ5，Ｓ7〜Ｓ11，Ｓ13〜Ｓ17）、またＣＡＶリミット信号、ＭＤリミット信号あるいは共通リミット信号が発生しているか否かを判定する（ステップＳ6，Ｓ12，Ｓ18，Ｓ19）。そして、演算制御部７ｄは、これら判定結果の何れかが「ＮＧ」の場合、タイマをセットして所定の許容時間が経過した時点でファン回転数増段要求信号を「ＯＮ」に設定し（ステップＳ20）、「ＮＧ」でない場合には、ファン回転数増段要求信号を「ＯＦＦ」に設定する（ステップＳ21）。
【００２４】
ここで、ＣＡＶリミット信号は、ＣＡＶ３Ａ〜３Ｃが限界開口度（全開状態）になった場合に、またＭＤリミット信号はＭＤ５Ａ〜５Ｃが限界開口度（全開状態）になった場合にそれぞれ設定される信号であり、各々にＣＡＶ３Ａ〜３ＣあるいはＭＤ５Ａ〜５Ｃの限界状態を示す信号である。ＣＡＶ３Ａ〜３ＣあるいはＭＤ５Ａ〜５Ｃが全開状態という限界状態になった場合には給気風量を増大させる必要があるので、このような限界状態の場合にもファン回転数増段要求信号を「ＯＮ」に設定する。また、共通リミット信号は、Ａ室〜Ｃ室以外の他の空調対象室の限界状態を示す信号であり、本実施形態では、この共通リミット信号が設定された場合にもファン回転数増段要求信号を「ＯＮ」に設定する。
【００２５】
演算制御部７ｄは、例えばＡ室の温度つまり温度センサａの検出値（室内温度）のセンサ許容値（温度許容値）からの逸脱を判定した場合、この判定時点でタイマをセットし、該タイマの値つまり判定時点からの経過時間が所定の許容時間を越えるとファン回転数増段要求信号を「ＯＮ」に設定する。なお、上記タイマの計時中に室内温度がセンサ許容値を満足する状態に復帰した場合には、上記タイマはリセットされる。
【００２６】
また、演算制御部７ｄは、ファン回転数増段要求信号を「ＯＦＦ」に設定すると（ステップＳ21）、待機要求タイマをセットして計時を開始して待機要求信号を「ＯＮ」に設定し（ステップＳ22）、当該待機要求タイマが所定時間を計時してタイムアップすると待機要求信号を「ＯＦＦ」に設定する（ステップＳ23）。
【００２７】
図４は、上記ファン回転数増減判断処理の結果に基づくＳＡファン２の回転制御を示す概念図である。演算制御部７ｄは、上記ファン回転数増減判断処理の結果として得られたファン回転数増段要求信号及び待機要求信号の各設定状態に基づいてＳＡファンインバータ８を制御することにより、ＳＡファン２の回転を図４に示すように制御する。
【００２８】
この図４において、曲線Ｌは上記各種センサの検出値、例えば温度センサａの検出値（室内温度）の時間変化を示している。演算制御部７ｄは、本空調システムの起動時（時刻ｔ0）においてＳＡファン２の回転数を指定する設定値（ＳＶ値）を初期値ＨzＳに設定する。この初期値ＨzＳは、定常的な回転数よりもかなり高い回転数を指定するものであり、各空調対象室には比較的大きな風量（給気風量）で空調用空気が供給される。
【００２９】
すなわち、起動時刻ｔ0〜時刻ｔ1の期間においてファン回転数増段要求信号及び待機要求信号は共にＯＦＦ状態にあり、演算制御部７ｄは、ＳＶ値を偏差量ΔＨz１のきざみ幅で徐々に減少させる。この結果、空調用空気の各空調対象室への給気風量は徐々に減少する一方、空調状態は徐々に目標状態となる。
【００３０】
このように供給風量が減少することにより各種センサの検出値の何れかがセンサ許容値を逸脱すると、時刻ｔ2においてファン回転数増段要求信号がＯＦＦ状態からＯＮ状態に変化する。この結果、演算制御部７ｄは、ＳＶ値を偏差量ΔＨz２だけ増加させて各空調対象室への給気風量を増大させる。
【００３１】
この供給風量の増大によってセンサ許容値を逸脱した検出値がセンサ許容値を満足する値になると、時刻ｔ3においてファン回転数増段要求信号がＯＮ状態からＯＦＦ状態に復帰すると共に待機要求信号がＯＮ状態に設定される。そして、当該待機要求信号のＯＮ状態への設定時刻つまり時刻ｔ3から計時を開始した待機要求タイマがタイムアップすると、つまり時刻ｔ4において待機要求信号はＯＦＦ状態となる。この結果、演算制御部７ｄは、ＳＶ値を偏差量ΔＨz１だけ減少させて各空調対象室への給気風量を削減させる。
【００３２】
以上がファン回転数増減判断処理結果に基づくＳＡファン２の回転制御であるが、要するに演算制御部７ｄは、ファン回転数増減判断処理の結果として得られたファン回転数増段要求信号及び待機要求信号をＳＡファン２の回転制御に用いることにより、空調対象室（Ａ室〜Ｃ室）への空調用空気の給気風量が空調対象室内を所定の規定空調状態、つまりセンサ許容値を満足する状態に維持するために必要な最低給気風量となるようにＳＡファン２の回転を制御する。
【００３３】
一方、ＲＡファン４は、このようなＳＡファン２の給気風量に対してＲＡファン４の換気風量が線形関係になるように回転制御される。図５は、ＳＡファン２の給気風量に対するＲＡファン４の換気風量の関係（特性曲線Ｒ）を示す特性図である。演算制御部７ｄは、この特性曲線Ｒが示すように、ＳＡファン２の給気風量が０〜ｍsの領域ではＲＡファン４の換気風量を「０」に固定し、給気風量がｍs〜最大風量となる領域では給気風量に比例させて換気風量を直線的に増大させる。
【００３４】
すなわち、演算制御部７ｄは、ファン回転数増減判断処理に基づくファン回転数増段要求信号及び待機要求信号のＯＮ／ＯＦＦ状態によってＳＡファン２のＳＶ値を設定すると、当該ＳＶ値に対応する給気風量ｍxを求め、当該給気風量ｍxを上記特性曲線Ｒに当て嵌めることにより換気風量ｒxを求め、当該換気風量ｒxに対応するＲＡファン４の回転数を求める。
【００３５】
このようなファン制御装置７によるファン制御動作によれば、ファン制御装置７は、各空調対象室への空調用空気の給気風量が各空調対象室内をセンサ許容値によって規定された所定の空調状態に維持するために必要な最低給気風量となるようにＳＡファン２を駆動するので、従来のようにクリーンルームの室内設計条件に基づいてＳＡファン２を駆動する場合に比較してＳＡファン２の消費電力を削減することができる。
また、ＳＡファン２の給気風量に対して換気風量が線形関係となるようにＲＡファン４の回転を制御するので、ＲＡファン４の消費電力も従来技術に比較して削減することができる。
【００３６】
〔表示動作〕
次に、図６〜図８を参照して、ファン制御装置７による各種表示動作について説明する。
最初に、図６は表示操作部７ｆに表示される動作モニタグラフ画面の模式図である。表示操作部７ｆは、作業者によって動作モニタグラフ画面の表示が選択指示されると、当該動作モニタグラフ画面の表示に必要な制御情報を演算制御部７ｄから取得して図６の動作モニタグラフ画面を表示する。
【００３７】
この動作モニタグラフ画面には、図示するように、電力削減率、各ファンの回転数。各空調対象室における各種センサの検出値のトレンドグラフ、各種リミット信号の状態等が表示される。これら表示項目のうち、電力削減率は、ＳＡファンインバータ８及びＲＡファンインバータ９を固定制御した場合の消費電力に対する削減率を示すものである。なお、固定制御の消費電力はパラメータの１つとして表示操作部７ｆから予め入力されて記憶部に７ｅに記憶されたものである。
【００３８】
また、この動作モニタグラフ画面には、最下段に空調対象室を選択する操作ボタン（空調対象室選択ボタン）が設けられており、この空調対象室選択ボタンを選択的に操作することにより動作モニタグラフ画面に表示する空調対象室を切り替えることができる。
【００３９】
図７は、表示操作部７ｆに表示される（空調対象室別）モニタ画面の模式図である。このモニタ画面は、図示するように本空調システムのシステム構成図上に各構成機器の動作状態を示す動作情報を表示したものである。図７では、一例としてＡ室のモニタ画面を示しており、構成機器であるＯＡファン１、ＳＡファン２、ＣＡＶ３Ａ、Ａ室、ＭＤ５Ａ、ＲＡファン４及びＥＡファン６について各構成機器が表示されている。
【００４０】
ＯＡファン１、ＳＡファン２、ＲＡファン４及びＥＡファン６については回転数（Ｈｚ）と消費電力（ｋＷ）が動作情報として表示され、空調対象室（Ａ室）については各種センサの検出値やＣＡＶリミット信号及びＭＤリミット信号の設定状態等が動作情報として表示される。なお、この（空調対象室別）モニタ画面にも、最下段に空調対象室選択ボタンが設けられており、この空調対象室選択ボタンを選択的に操作することにより（空調対象室別）モニタ画面に表示する空調対象室を切り替えることができる。
【００４１】
続いて、図８は、表示操作部７ｆに表示される（制御項目別）モニタ画面の模式図である。このモニタ画面は、上記（空調対象室別）モニタ画面と同様のシステム構成図上に各空調対象室に関する特定制御項目を動作情報として表示したものである。図８には、一例として制御項目の１つである室内温度のモニタ画面が示されており、各空調対象室における温度センサの検出値が室内温度の計測値として、また各空調対象室における室内温度の最大値及び最小値が設定値として表示されている。なお、この（制御項目別）モニタ画面には、最下段に制御項目選択ボタンが設けられており、この制御項目選択ボタンを選択的に操作することにより（制御項目別）モニタ画面に表示する制御項目を切り替えることができる。
【００４２】
このようなファン制御装置７による表示動作によれば、ファン制御装置７の制御状態が各種画面として表示されるので、本空調システムの運転状態を監視する作業員は、ＳＡファン２やＲＡファン４の制御状態を極めて容易に把握することができる。
【００４３】
〔制御状態の外部提供及び変更動作〕
さらに、ファン制御装置７の制御状態を外部に提供したり、あるいは制御状態を変更する場合の動作について説明する。
図２で、通信部７ｇは、外部の通信機器から演算制御部７ｄの制御状態の提供要求を受信すると、この要求の受信を演算制御部７ｄに通知する。演算制御部７ｄは、この通知が通信部７ｇから入力されると、例えば上記図６〜図８の各画面に表示された状態情報を外部の通信機器に送信する。
【００４４】
また、通信部７ｇは、演算制御部７ｄの制御状態の変更を指示する遠隔指示を外部の通信機器から受信すると、この遠隔指示の受信を演算制御部７ｄに通知する。この遠隔指示は、制御状態を規定する例えば制御パラメータやレンジパラメータの変更を指示するものである。この通知が通信部７ｇから入力されると、演算制御部７ｄは、これまで使用してきた制御パラメータやレンジパラメータに代えて、遠隔指示で指定された制御パラメータやレンジパラメータを用いてＳＡファン２やＲＡファン４を制御する。
【００４５】
このようなファン制御装置７による制御状態の外部提供及び変更動作によれば、ＳＡファン２やＲＡファン４の制御状態を外部から容易に把握することが可能であり、また制御状態を外部から容易に変更することができる。
【００４６】
なお、本発明は上記実施形態に限定されることはなく、例えば以下のような変形例が考えられる。
（１）上記実施形態では、ＳＡファン２とＲＡファン４とをファン制御器７によって省エネ制御することについて説明したいが、本空調システムでは、表示操作部７ｆに表示されるパラメータ設定画面において省エネ制御するファンを選択設定することができる。したがって、ＯＡファン1及びＥＡファン６についても、ファン制御器７によって省エネ制御するようにしても良い。
【００４７】
（２）上記実施形態では、３つの空調対象室つまりＡ室〜Ｃ室の空調状態を各種センサの検出値等に基づいてＳＡファン２及びＲＡファン４を省エネ制御するようにしたが、本空調システムでは、表示操作部７ｆに表示される設定画面においてＲＡファン４を省エネ制御する場合における空調対象室を選択設定することができる。したがって、例えばＣ室を除外してＡ室及びＢ室の空調状態に基づいてＳＡファン２及びＲＡファン４を省エネ制御するようにしても良い。
【００４８】
（３）上記実施形態では、各空調対象室の空調状態を温度センサａ、湿度センサｂ、清浄度センサｃ、圧力センサｄ及びガス濃度センサｅによってそれぞれ検出し、これら各種センサの検出値等に基づいてＳＡファン２及びＲＡファン４を省エネ制御するようにしたが、本空調システムでは、表示操作部７ｆに表示される設定画面においてＲＡファン４を省エネ制御する場合におけるセンサを選択設定することができる。したがって、上記各種センサのうち、例えば圧力センサｄとガス濃度センサｅとを除外して空調状態を温度センサａ、湿度センサｂ及び清浄度センサｃの検出値に基づいてＳＡファン２及びＲＡファン４を省エネ制御するようにしても良い。
【図面の簡単な説明】
【００４９】
【図１】本発明の一実施形態に係わる空調システムのシステム構成図である。
【図２】本発明の一実施形態におけるファン制御装置７のブロック図である。
【図３】本発明の一実施形態におけるファン回転数増減判断処理を示すフローチャートである。
【図４】本発明の一実施形態におけるファン回転数増減判断処理に基づくＳＡファン２の回転制御を示す概念図である。
【図５】本発明の一実施形態におけるＳＡファン２の給気風量に対するＲＡファン４の換気風量の関係を示す制御特性図である。
【図６】本発明の一実施形態における動作モニタグラフ画面の模式図である。
【図７】本発明の一実施形態における（空調対象室別）モニタ画面の模式図である。
【図８】本発明の一実施形態における（制御項目別）モニタ画面の模式図である。
【符号の説明】
【００５０】
１…ＯＡファン、２…ＳＡファン、３Ａ〜３Ｃ…ＣＡＶ、４…ＲＡファン、５Ａ〜５Ｃ…ＭＤ、６…ＥＡファン、７…ファン制御装置、７ａ…Ａ室インタフェース、７ｂ…Ｂ室インタフェース、７ｃ…Ｃ室インタフェース、７ｄ…演算制御部、７ｅ…記憶部、７ｆ…表示操作部、７ｇ…通信部、８…ＳＡファンインバータ、９…ＲＡファンインバータ
【図１】
2005249243.tif 000003
【図２】
2005249243.tif 000004
【図３】
2005249243.tif 000005
【図４】
2005249243.tif 000006
【図５】
2005249243.tif 000007
【図６】
2005249243.tif 000008
【図７】
2005249243.tif 000009
【図８】
2005249243.tif 000010